【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
命令を格納する少なくとも１つの記憶装置と、電子ディスプレイと、前記少なくとも１つの記憶装置と前記電子ディスプレイとに電子接続される少なくとも１つのプロセッサとを有する装置であって、
前記少なくとも１つのプロセッサにより実行されると、前記命令は前記少なくとも１つのプロセッサに、
第１金融商品と該第１金融商品を原商品として有する先物契約からなる第２金融商品との少なくとも１つの市場情報を受信させ、
前記受信した市場情報に少なくとも部分的に基づき、少なくとも第１部分と第２部分とを有する３次元グラフィカル表示を更新させ、
前記電子ディスプレイ上で前記更新されたグラフィカル表示をユーザに表示させる、
よう少なくとも指示し、
前記第１部分は、第１期間における前記第１金融商品の複数の取引価格を有する第１チャートと、第２期間における前記第２金融商品の複数の取引価格を有する第２チャートとを有し、
前記第２部分は、
前記第１金融商品について、（ａ）スタックサイズが所与の価格における複数の買い注文のそれぞれのボリュームの合計を表す第１スタックと、（ｂ）スタックサイズが所与の価格における複数の売り注文のそれぞれのボリュームの合計を表す第２スタックとを含む第１コンポーネントと、
前記第２金融商品について、（ａ）スタックサイズが所与の価格における複数の買い注文のそれぞれのボリュームの合計を表す第１スタックと、（ｂ）スタックサイズが所与の価格における複数の売り注文のそれぞれのボリュームの合計を表す第２スタックとを含む第２コンポーネントと、
を有し、
前記グラフィカル表示の第１部分と第２部分とは、前記ユーザにより同時に閲覧可能である装置。
【請求項２】
前記第１金融商品は国債を含む、請求項１記載の装置。
【請求項３】
前記少なくとも１つのプロセッサにより実行されると、前記命令はさらに前記少なくとも１つのプロセッサに、少なくとも前記第１金融商品と前記第２金融商品とを比較する比較情報を前記電子ディスプレイ上で前記ユーザに表示させるよう少なくとも指示し、
前記比較情報は、ベーシス情報と、カーブスワップ情報と、取引差分情報と、合計されたネット変動情報との少なくとも１つを含む、請求項２記載の装置。
【請求項４】
前記比較情報の表示は、前記ベーシス情報と、前記カーブスワップ情報と、前記取引差分情報と、前記合計されたネット変動情報との少なくとも２つを重畳させて表示することを含む、請求項３記載の装置。
【請求項５】
前記少なくとも１つのプロセッサにより実行されると、前記命令はさらに前記少なくとも１つのプロセッサに、前記グラフィカル表示の一部として表示するため、複数の金融商品から前記第１金融商品と前記第２金融商品との選択を前記ユーザから受信させるよう少なくとも指示する、請求項１記載の装置。
【請求項６】
前記少なくとも１つのプロセッサにより実行されると、前記命令はさらに前記少なくとも１つのプロセッサに、前記第１コンポーネントと前記第２コンポーネントとの配置の指定を前記ユーザから受信させるよう少なくとも指示し、
前記更新されたグラフィカル表示の表示は、前記指定された配置に従って前記第１コンポーネントと前記第２コンポーネントとを表示することを含む、請求項１記載の装置。
【請求項７】
前記グラフィカル表示の第１部分と第２部分とは、前記電子ディスプレイ上で１つの第１ウィンドウに表示される、請求項１記載の装置。
【請求項８】
前記少なくとも１つのプロセッサにより実行されると、前記命令はさらに前記少なくとも１つのプロセッサに、
前記第１チャートと前記第１コンポーネントとの少なくとも１つの選択を前記ユーザから受信させ、
前記選択に少なくとも部分的に基づき、前記第１チャートと前記第１コンポーネントとの少なくとも１つを前記電子ディスプレイ上で第２ウィンドウにおいて２次元形式で表示させる、
よう少なくとも指示する、請求項７記載の装置。
【請求項９】
前記少なくとも１つのプロセッサにより実行されると、前記命令はさらに前記少なくとも１つのプロセッサに、
前記第２チャートと前記第２コンポーネントとの少なくとも１つのさらなる選択を前記ユーザから受信させ、
前記さらなる選択に少なくとも部分的に基づき、前記第２チャートと前記第２コンポーネントとの少なくとも１つを前記第２ウィンドウにおいて２次元形式で表示させる、
よう少なくとも指示する、請求項８記載の装置。
【請求項１０】
前記第１金融商品は国債を含み、
前記少なくとも１つのプロセッサにより実行されると、前記命令はさらに前記少なくとも１つのプロセッサに、前記第２ウィンドウにおいてベーシス情報を表示させるよう少なくとも指示し、
前記ベーシス情報は、前記第１金融商品と前記第２金融商品とを比較する、請求項９記載の装置。
【請求項１１】
前記少なくとも１つのプロセッサにより実行されると、前記命令はさらに前記少なくとも１つのプロセッサに、
イールド曲線を表示する第１指示を前記ユーザから受信させ、
前記第１指示を受信することに応答して、前記１つの第１ウィンドウにおいて前記イールド曲線を前記ユーザに表示させ、
その後に前記イールド曲線を隠す第２指示を前記ユーザから受信させ、
前記第２指示を受信することに応答して、前記イールド曲線が前記１つの第１ウィンドウにおいて前記ユーザに表示されないように、前記イールド曲線を隠させる、
よう少なくとも指示する、請求項７記載の装置。
【請求項１２】
前記少なくとも１つのプロセッサにより実行されると、前記命令はさらに前記少なくとも１つのプロセッサに、
前記ユーザが前記第２金融商品に係る第２チャートと第２コンポーネントとを閲覧することが許可されているか判断させ、
前記判断に少なくとも部分的に基づき、前記第２チャートと前記第２コンポーネントとを前記ユーザに表示させる、
よう少なくとも指示する、請求項１記載の装置。
【請求項１３】
前記第１金融商品の第１スタックと第２スタックとはそれぞれ、３次元垂直バーとして表示され、
前記第２金融商品の第１スタックと第２スタックとはそれぞれ、３次元垂直バーとして表示される、請求項１記載の装置。
【請求項１４】
前記第１金融商品の第１スタックは、各レイヤが前記第１金融商品の複数の買い注文のそれぞれのボリュームを示すレイヤを有するよう表示され、
前記第１金融商品の第２スタックは、各レイヤが前記第１金融商品の複数の売り注文のそれぞれのボリュームを示すレイヤを有するよう表示され、
前記第２金融商品の第１スタックは、各レイヤが前記第２金融商品の複数の買い注文のそれぞれのボリュームを示すレイヤを有するよう表示され、
前記第２金融商品の第２スタックは、各レイヤが前記第２金融商品の複数の売り注文のそれぞれのボリュームを示すレイヤを有するよう表示される、請求項１記載の装置。
【請求項１５】
前記第１金融商品の複数の買い注文について与えられる価格は、前記第１金融商品のベストビッド価格からなり、
前記第１金融商品の複数の売り注文について与えられる価格は、前記第１金融商品のベストオファー価格からなり、
前記第２金融商品の複数の買い注文について与えられる価格は、前記第２金融商品のベストビッド価格からなり、
前記第２金融商品の複数の売り注文について与えられる価格は、前記第２金融商品のベストオファー価格からなる、請求項１記載の装置。
【請求項１６】
前記第１コンポーネントはさらに、前記第１金融商品について、（ｃ）スタックサイズが前記第１金融商品のベストビッド価格を下回る所与の価格における複数の買い注文のそれぞれのボリュームの合計を表す第３スタックと、（ｄ）スタックサイズが前記第１金融商品のベストオファー価格を上回る所与の価格における複数の売り注文のそれぞれのボリュームの合計を表す第４スタックとを有し、
前記第２コンポーネントはさらに、前記第２金融商品について、（ｃ）スタックサイズが前記第２金融商品のベストビッド価格を下回る所与の価格における複数の買い注文のそれぞれのボリュームの合計を表す第３スタックと、（ｄ）スタックサイズが前記第２金融商品のベストオファー価格を上回る所与の価格における複数の売り注文のそれぞれのボリュームの合計を表す第４スタックとを有する、請求項１５記載の装置。
【請求項１７】
前記第１コンポーネントはさらに、前記第１金融商品の直近の取引価格と対応する直近の取引量とを有し、
前記第２コンポーネントはさらに、前記第２金融商品の直近の取引価格と対応する直近の取引量とを有する、請求項１６記載の装置。
【請求項１８】
前記第１金融商品の第１スタックと、第２スタックと、第３スタックと、第４スタックとは、水平方向の次元に沿って配置及び表示され、
前記第２金融商品の第１スタックと、第２スタックと、第３スタックと、第４スタックとは、水平方向の次元に沿って配置及び表示され、
前記第１コンポーネントと前記第２コンポーネントとは、前記水平方向の次元に直交した他の次元に沿って配置及び表示される、請求項１６記載の装置。
【請求項１９】
前記少なくとも１つのプロセッサにより実行されると、前記命令はさらに前記少なくとも１つのプロセッサに、
前記第１金融商品の第３スタックと、前記第１金融商品の第４スタックと、前記第２金融商品の第３スタックと、前記第２金融商品の第４スタックとの少なくとも１つの上にカーソルが配置されているか判断させ、
前記判断に少なくとも部分的に基づき、前記カーソルが配置された前記スタックの合計量に対応する数値を含むダイアログボックスを前記電子ディスプレイ上に表示させる、よう少なくとも指示する、請求項１６記載の装置。
【請求項２０】
前記少なくとも１つのプロセッサにより実行されると、前記命令はさらに前記少なくとも１つのプロセッサに、
前記第１金融商品の第１スタックと、前記第１金融商品の第２スタックと、前記第２金融商品の第１スタックと、前記第２金融商品の第２スタックとの少なくとも１つの上にカーソルが配置されているか判断させ、
前記判断に少なくとも部分的に基づき、前記カーソルが配置された前記スタックの合計量に対応する数値と、前記合計量を構成する前記複数の注文のそれぞれのボリュームに対応する数値のリストとを含むダイアログボックスを前記電子ディスプレイ上に表示させる、よう少なくとも指示する、請求項１６記載の装置。
【請求項２１】
前記少なくとも１つのプロセッサにより実行されると、前記命令はさらに前記少なくとも１つのプロセッサに、
前記ユーザが前記第１金融商品の第１スタックと第２スタックとの少なくとも１つを選択したか判断させ、
前記判断に少なくとも部分的に基づき、前記ユーザが前記第１金融商品を購入するためのビットと、売却するためのオファーと、購入するという要求と、売却するという要求との少なくとも１つを指示することを可能にする取引ウィンドウを前記電子ディスプレイ上に表示させる、
よう少なくとも指示する、請求項１６記載の装置。
【請求項２２】
前記少なくとも１つのプロセッサにより実行されると、前記命令はさらに前記少なくとも１つのプロセッサに、
前記ユーザが前記第２金融商品の第１スタックと第２スタックとの少なくとも１つを選択したか判断させ、
前記判断に少なくとも部分的に基づき、前記ユーザが前記第２金融商品を購入するためのビットと、売却するためのオファーと、購入するという要求と、売却するという要求との少なくとも１つを指示することを可能にする取引ウィンドウを前記電子ディスプレイ上に表示させる、
よう少なくとも指示する、請求項１６記載の装置。
【請求項２３】
前記第１金融商品の複数の取引価格と前記第１金融商品の複数の取引価格とは、ある取引日の少なくとも一部における取引価格からなる、請求項１記載の装置。
【請求項２４】
前記第１部分はさらに、前記第１金融商品に対する複数の第１指標と、前記第２金融商品に対する複数の第２指標とを有し、
前記第１金融商品に対する各第１指標は、前記第１金融商品の対応する取引の価格方向を示し、
前記複数の第１指標は、前記第１期間の一部である期間に対応し、
前記第２金融商品に対する各第２指標は、前記第２金融商品の対応する取引の価格方向を示し、
前記複数の第２指標は、前記第２期間の一部である期間に対応する、請求項１記載の装置。
【請求項２５】
前記第１金融商品の第１チャートと複数の第１指標とは、前記第１チャートが第１次元と該第１次元に直交する水平方向の第２次元とに沿って配置及び表示され、前記複数の第１指標が前記第２次元と前記第１及び第２次元に直交する第３次元とに沿って配置及び表示されるようなステップ形式により配置及び表示され、
前記第２金融商品の第２チャートと複数の第２指標とは、前記第２チャートが前記第１次元と前記第２次元とに沿って配置及び表示され、前記複数の第２指標が前記第２次元と前記第３次元とに沿って配置及び表示されるようなステップ形式により配置及び表示され、
前記第１チャートと前記複数の第１指標とは、第１の組み合わせを構成し、前記第２チャートと前記複数の第２指標とは、第２の組み合わせを構成し、
前記第１の組み合わせと前記第２の組み合わせとは、前記第１次元に沿って配置及び表示される、請求項２４記載の装置。
【請求項２６】
前記第１金融商品の第１スタックと第２スタックとは、前記第２次元に沿って配置及び表示され、
前記第２金融商品の第１スタックと第２スタックとは、前記第２次元に沿って配置及び表示され、
前記第１コンポーネントと前記第２コンポーネントとは、前記第１次元に沿って配置及び表示される、請求項２５記載の装置。
【請求項２７】
前記第１チャートと前記複数の第１指標との第１の組み合わせと、前記第１コンポーネントとは、前記第１の組み合わせと前記第１コンポーネントとを隣接させて、前記第２次元に沿って配置及び表示され、
前記第２チャートと前記複数の第２指標との第２の組み合わせと、前記第２コンポーネントとは、前記第２の組み合わせと前記第２コンポーネントとを隣接させて、前記第２次元に沿って配置及び表示される、請求項２６記載の装置。
【請求項２８】
前記第１チャートと前記第１コンポーネントとは、前記第１チャートと前記第１コンポーネントとを隣接させて、水平方向の次元に沿って配置及び表示され、
前記第２チャートと前記第２コンポーネントとは、前記第２チャートと前記第２コンポーネントとを隣接させて、前記水平方向の次元に沿って配置及び表示され、
前記第１チャートと前記第１コンポーネントとの組み合わせと、前記第２チャートと前記第２コンポーネントとの組み合わせとは、前記水平方向の次元に直交した他の次元に沿って配置及び表示される、請求項１記載の装置。
【請求項２９】
少なくとも１つのプロセッサにより実行されると、前記少なくとも１つのプロセッサに、
第１金融商品と該第１金融商品を原商品として有する先物契約からなる第２金融商品との少なくとも１つの市場情報を受信させ、
前記受信した市場情報に少なくとも部分的に基づき、少なくとも第１部分と第２部分とを有する３次元グラフィカル表示を更新させ、
前記電子ディスプレイ上で前記更新されたグラフィカル表示をユーザに表示させる、
よう少なくとも指示する命令を格納する記憶媒体であって、
前記第１部分は、第１期間における前記第１金融商品の複数の取引価格を有する第１チャートと、第２期間における前記第２金融商品の複数の取引価格を有する第２チャートとを有し、
前記第２部分は、
前記第１金融商品について、（ａ）スタックサイズが所与の価格における複数の買い注文のそれぞれのボリュームの合計を表す第１スタックと、（ｂ）スタックサイズが所与の価格における複数の売り注文のそれぞれのボリュームの合計を表す第２スタックとを含む第１コンポーネントと、
前記第２金融商品について、（ａ）スタックサイズが所与の価格における複数の買い注文のそれぞれのボリュームの合計を表す第１スタックと、（ｂ）スタックサイズが所与の価格における複数の売り注文のそれぞれのボリュームの合計を表す第２スタックとを含む第２コンポーネントと、
を有し、
前記グラフィカル表示の第１部分と第２部分とは、前記ユーザにより同時に閲覧可能である記憶媒体。
【請求項３０】
前記第１金融商品は国債を含む、請求項２９記載の記憶媒体。
【請求項３１】
前記少なくとも１つのプロセッサにより実行されると、前記命令はさらに前記少なくとも１つのプロセッサに、前記グラフィカル表示の一部として表示するため、複数の金融商品から前記第１金融商品と前記第２金融商品との選択を前記ユーザから受信させるよう少なくとも指示する、請求項２９記載の記憶媒体。
【請求項３２】
前記少なくとも１つのプロセッサにより実行されると、前記命令はさらに前記少なくとも１つのプロセッサに、前記第１コンポーネントと前記第２コンポーネントとの配置の指定を前記ユーザから受信させるよう少なくとも指示し、
前記更新されたグラフィカル表示の表示は、前記指定された配置に従って前記第１コンポーネントと前記第２コンポーネントとを表示することを含む、請求項２９記載の記憶媒体。
【請求項３３】
前記グラフィカル表示の第１部分と第２部分とは、前記電子ディスプレイ上で１つの第１ウィンドウに表示される、請求項２９記載の記憶媒体。
【請求項３４】
前記少なくとも１つのプロセッサにより実行されると、前記命令はさらに前記少なくとも１つのプロセッサに、
前記第１チャートと前記第１コンポーネントとの少なくとも１つの選択を前記ユーザから受信させ、
前記選択に少なくとも部分的に基づき、前記第１チャートと前記第１コンポーネントとの少なくとも１つを前記電子ディスプレイ上で第２ウィンドウにおいて２次元形式で表示させる、
よう少なくとも指示する、請求項３３記載の記憶媒体。
【請求項３５】
前記少なくとも１つのプロセッサにより実行されると、前記命令はさらに前記少なくとも１つのプロセッサに、
前記第２チャートと前記第２コンポーネントとの少なくとも１つのさらなる選択を前記ユーザから受信させ、
前記さらなる選択に少なくとも部分的に基づき、前記第２チャートと前記第２コンポーネントとの少なくとも１つを前記第２ウィンドウにおいて２次元形式で表示させる、
よう少なくとも指示する、請求項３４記載の記憶媒体。
【請求項３６】
前記第１金融商品は国債を含み、
前記少なくとも１つのプロセッサにより実行されると、前記命令はさらに前記少なくとも１つのプロセッサに、前記第２ウィンドウにおいてベーシス情報を表示させるよう少なくとも指示し、
前記ベーシス情報は、前記第１金融商品と前記第２金融商品とを比較する、請求項３５記載の記憶媒体。
【請求項３７】
前記少なくとも１つのプロセッサにより実行されると、前記命令はさらに前記少なくとも１つのプロセッサに、
イールド曲線を表示する第１指示を前記ユーザから受信させ、
前記第１指示を受信することに応答して、前記１つの第１ウィンドウにおいて前記イールド曲線を前記ユーザに表示させ、
その後に前記イールド曲線を隠す第２指示を前記ユーザから受信させ、
前記第２指示を受信することに応答して、前記イールド曲線が前記１つの第１ウィンドウにおいて前記ユーザに表示されないように、前記イールド曲線を隠させる、
よう少なくとも指示する、請求項３３記載の記憶媒体。
【請求項３８】
前記少なくとも１つのプロセッサにより実行されると、前記命令はさらに前記少なくとも１つのプロセッサに、
前記ユーザが前記第２金融商品に係る第２チャートと第２コンポーネントとを閲覧することが許可されているか判断させ、
前記判断に少なくとも部分的に基づき、前記第２チャートと前記第２コンポーネントとを前記ユーザに表示させる、
よう少なくとも指示する、請求項２９記載の記憶媒体。
【請求項３９】
前記第１金融商品の第１スタックと第２スタックとはそれぞれ、３次元垂直バーとして表示され、
前記第２金融商品の第１スタックと第２スタックとはそれぞれ、３次元垂直バーとして表示される、請求項２９記載の記憶媒体。
【請求項４０】
前記第１金融商品の第１スタックは、各レイヤが前記第１金融商品の複数の買い注文のそれぞれのボリュームを示すレイヤを有するよう表示され、
前記第１金融商品の第２スタックは、各レイヤが前記第１金融商品の複数の売り注文のそれぞれのボリュームを示すレイヤを有するよう表示され、
前記第２金融商品の第１スタックは、各レイヤが前記第２金融商品の複数の買い注文のそれぞれのボリュームを示すレイヤを有するよう表示され、
前記第２金融商品の第２スタックは、各レイヤが前記第２金融商品の複数の売り注文のそれぞれのボリュームを示すレイヤを有するよう表示される、請求項２９記載の記憶媒体。
【請求項４１】
前記第１金融商品の複数の買い注文について与えられる価格は、前記第１金融商品のベストビッド価格からなり、
前記第１金融商品の複数の売り注文について与えられる価格は、前記第１金融商品のベストオファー価格からなり、
前記第２金融商品の複数の買い注文について与えられる価格は、前記第２金融商品のベストビッド価格からなり、
前記第２金融商品の複数の売り注文について与えられる価格は、前記第２金融商品のベストオファー価格からなる、請求項２９記載の記憶媒体。
【請求項４２】
前記第１コンポーネントはさらに、前記第１金融商品について、（ｃ）スタックサイズが前記第１金融商品のベストビッド価格を下回る所与の価格における複数の買い注文のそれぞれのボリュームの合計を表す第３スタックと、（ｄ）スタックサイズが前記第１金融商品のベストオファー価格を上回る所与の価格における複数の売り注文のそれぞれのボリュームの合計を表す第４スタックとを有し、
前記第２コンポーネントはさらに、前記第２金融商品について、（ｃ）スタックサイズが前記第２金融商品のベストビッド価格を下回る所与の価格における複数の買い注文のそれぞれのボリュームの合計を表す第３スタックと、（ｄ）スタックサイズが前記第２金融商品のベストオファー価格を上回る所与の価格における複数の売り注文のそれぞれのボリュームの合計を表す第４スタックとを有する、請求項４１記載の記憶媒体。
【請求項４３】
前記第１コンポーネントはさらに、前記第１金融商品の直近の取引価格と対応する直近の取引量とを有し、
前記第２コンポーネントはさらに、前記第２金融商品の直近の取引価格と対応する直近の取引量とを有する、請求項４２記載の記憶媒体。
【請求項４４】
前記第１金融商品の第１スタックと、第２スタックと、第３スタックと、第４スタックとは、水平方向の次元に沿って配置及び表示され、
前記第２金融商品の第１スタックと、第２スタックと、第３スタックと、第４スタックとは、水平方向の次元に沿って配置及び表示され、
前記第１コンポーネントと前記第２コンポーネントとは、前記水平方向の次元に直交した他の次元に沿って配置及び表示される、請求項４２記載の記憶媒体。
【請求項４５】
前記少なくとも１つのプロセッサにより実行されると、前記命令はさらに前記少なくとも１つのプロセッサに、
前記第１金融商品の第３スタックと、前記第１金融商品の第４スタックと、前記第２金融商品の第３スタックと、前記第２金融商品の第４スタックとの少なくとも１つの上にカーソルが配置されているか判断させ、
前記判断に少なくとも部分的に基づき、前記カーソルが配置された前記スタックの合計量に対応する数値を含むダイアログボックスを前記電子ディスプレイ上に表示させる、よう少なくとも指示する、請求項４２記載の記憶媒体。
【請求項４６】
前記少なくとも１つのプロセッサにより実行されると、前記命令はさらに前記少なくとも１つのプロセッサに、
前記第１金融商品の第１スタックと、前記第１金融商品の第２スタックと、前記第２金融商品の第１スタックと、前記第２金融商品の第２スタックとの少なくとも１つの上にカーソルが配置されているか判断させ、
前記判断に少なくとも部分的に基づき、前記カーソルが配置された前記スタックの合計量に対応する数値と、前記合計量を構成する前記複数の注文のそれぞれのボリュームに対応する数値のリストとを含むダイアログボックスを前記電子ディスプレイ上に表示させる、よう少なくとも指示する、請求項４２記載の記憶媒体。
【請求項４７】
前記少なくとも１つのプロセッサにより実行されると、前記命令はさらに前記少なくとも１つのプロセッサに、
前記ユーザが前記第１金融商品の第１スタックと第２スタックとの少なくとも１つを選択したか判断させ、
前記判断に少なくとも部分的に基づき、前記ユーザが前記第１金融商品を購入するためのビットと、売却するためのオファーと、購入するという要求と、売却するという要求との少なくとも１つを指示することを可能にする取引ウィンドウを前記電子ディスプレイ上に表示させる、
よう少なくとも指示する、請求項４１記載の記憶媒体。
【請求項４８】
前記少なくとも１つのプロセッサにより実行されると、前記命令はさらに前記少なくとも１つのプロセッサに、
前記ユーザが前記第２金融商品の第１スタックと第２スタックとの少なくとも１つを選択したか判断させ、
前記判断に少なくとも部分的に基づき、前記ユーザが前記第２金融商品を購入するためのビットと、売却するためのオファーと、購入するという要求と、売却するという要求との少なくとも１つを指示することを可能にする取引ウィンドウを前記電子ディスプレイ上に表示させる、
よう少なくとも指示する、請求項４１記載の記憶媒体。
【請求項４９】
前記第１金融商品の複数の取引価格と前記第１金融商品の複数の取引価格とは、ある取引日の少なくとも一部における取引価格からなる、請求項２９記載の記憶媒体。
【請求項５０】
前記第１部分はさらに、前記第１金融商品に対する複数の第１指標と、前記第２金融商品に対する複数の第２指標とを有し、
前記第１金融商品に対する各第１指標は、前記第１金融商品の対応する取引の価格方向を示し、
前記複数の第１指標は、前記第１期間の一部である期間に対応し、
前記第２金融商品に対する各第２指標は、前記第２金融商品の対応する取引の価格方向を示し、
前記複数の第２指標は、前記第２期間の一部である期間に対応する、請求項２９記載の記憶媒体。
【請求項５１】
前記第１金融商品の第１チャートと複数の第１指標とは、前記第１チャートが第１次元と該第１次元に直交する水平方向の第２次元とに沿って配置及び表示され、前記複数の第１指標が前記第２次元と前記第１及び第２次元に直交する第３次元とに沿って配置及び表示されるようなステップ形式により配置及び表示され、
前記第２金融商品の第２チャートと複数の第２指標とは、前記第２チャートが前記第１次元と前記第２次元とに沿って配置及び表示され、前記複数の第２指標が前記第２次元と前記第３次元とに沿って配置及び表示されるようなステップ形式により配置及び表示され、
前記第１チャートと前記複数の第１指標とは、第１の組み合わせを構成し、前記第２チャートと前記複数の第２指標とは、第２の組み合わせを構成し、
前記第１の組み合わせと前記第２の組み合わせとは、前記第１次元に沿って配置及び表示される、請求項５０記載の記憶媒体。
【請求項５２】
前記第１金融商品の第１スタックと第２スタックとは、前記第２次元に沿って配置及び表示され、
前記第２金融商品の第１スタックと第２スタックとは、前記第２次元に沿って配置及び表示され、
前記第１コンポーネントと前記第２コンポーネントとは、前記第１次元に沿って配置及び表示される、請求項５１記載の記憶媒体。
【請求項５３】
前記第１チャートと前記複数の第１指標との第１の組み合わせと、前記第１コンポーネントとは、前記第１の組み合わせと前記第１コンポーネントとを隣接させて、前記第２次元に沿って配置及び表示され、
前記第２チャートと前記複数の第２指標との第２の組み合わせと、前記第２コンポーネントとは、前記第２の組み合わせと前記第２コンポーネントとを隣接させて、前記第２次元に沿って配置及び表示される、請求項５２記載の記憶媒体。
【請求項５４】
前記第１チャートと前記第１コンポーネントとは、前記第１チャートと前記第１コンポーネントとを隣接させて、水平方向の次元に沿って配置及び表示され、
前記第２チャートと前記第２コンポーネントとは、前記第２チャートと前記第２コンポーネントとを隣接させて、前記水平方向の次元に沿って配置及び表示され、
前記第１チャートと前記第１コンポーネントとの組み合わせと、前記第２チャートと前記第２コンポーネントとの組み合わせとは、前記水平方向の次元に直交した他の次元に沿って配置及び表示される、請求項２９記載の記憶媒体。